(57)【要約】容器本体の内容物にアクセスするための開口を有している容器本体を有してなる医薬ディスペンサーであって、該本体の外側には医薬および／または栄養補助食品が入ったブリスターパックと連通させるための少なくとも一つの加圧箇所があり、該加圧箇所に圧力を加えることで該ブリスターが破れ、その結果該医薬および／または栄養補助食品が該容器本体の内側に放出されるようになっている医薬ディスペンサーが提供される。【選択図】図３
2004528107.tif 000002
【特許請求の範囲】
【請求項１】
容器本体の内容物にアクセスするための開口を有している容器本体を有してなる医薬ディスペンサーであって、該本体の外側には医薬および／または栄養補助食品が入ったブリスターパックと連通させるための少なくとも一つの加圧箇所があり、該加圧箇所に圧力を加えることで該ブリスターが破れ、その結果該医薬および／または栄養補助食品が該容器本体の内側に放出されるようになっている医薬ディスペンサー。
【請求項２】
容器本体に組み込まれる平坦パックの形態にある請求項１に記載の医薬ディスペンサー。
【請求項３】
前記容器本体に飲料が充填されている請求項１または２に記載の医薬ディスペンサー。
【請求項４】
前記飲料が、水、ミネラルウォーター、フルーツジュース、ソフトドリンクまたは炭酸水から選択される請求項３に記載の医薬ディスペンサー。
【請求項５】
前記容器本体がさらに着脱式蓋を有する請求項１ないし４のいずれかに記載の医薬ディスペンサー。
【請求項６】
前記着脱式蓋に少なくとも一つの加圧箇所がある請求項５に記載の医薬ディスペンサー。
【請求項７】
前記ブリスターが、独立した単一用量の医薬および／または栄養補助食品を含んでいる請求項１ないし６のいずれかに記載の医薬ディスペンサー。
【請求項８】
前記ブリスターが、複数のブリスターを有するブリスターパックの一部を形成している請求項１ないし６のいずれかに記載の医薬ディスペンサー。
【請求項９】
前記容器本体が、前記着脱式蓋がはめ込まれる首部材を有している請求項５ないし８のいずれかに記載の医薬ディスペンサー。
【請求項１０】
前記ブリスターが、前記容器本体の前記首部に取り付けるのに好適な接着剤裏材を有する請求項９に記載の医薬ディスペンサー。
【請求項１１】
前記着脱式蓋が、前記首部材および容器本体を中心に回転可能である請求項７ないし１０のいずれかに記載の医薬ディスペンサー。
【請求項１２】
前記蓋が、前記蓋、首部および容器本体の中心となる軸を中心として回転可能な円環体を有し、その上には前記少なくとも一つの加圧箇所が配置されており、該少なくとも一つの加圧箇所が前記蓋、前記首部および前記容器本体に対して回転可能となっている、請求項７ないし１０のいずれかに記載の医薬ディスペンサー。
【請求項１３】
前記ブリスターパックを含んでいる請求項１ないし１２のいずれかに記載の医薬ディスペンサー。
【請求項１４】
前記着脱式蓋が、クリップ留めおよび／またはスナップ留めおよび／またはネジ山とネジ穴（ネジ留め）および／またはバヨネット配置によって前記容器本体に固定可能である請求項５ないし１３のいずれかに記載の医薬ディスペンサー。
【請求項１５】
前記容器本体の内容物へのアクセス用の開口が着脱式蓋上の自然な位置にある請求項５ないし１４のいずれかに記載の医薬ディスペンサー。
【請求項１６】
前記アクセス用開口が、カバー部材で着脱式に密封可能である請求項１５に記載の医薬ディスペンサー。
【請求項１７】
前記カバー部材が、クリップ留めおよび／またはスナップ留めおよび／またはネジ山とネジ穴（ネジ留め）および／またはバヨネット配置によって前記蓋に固定可能である請求項１６に記載の医薬ディスペンサー。
【請求項１８】
前記カバーが、可撓性連結材によって前記蓋に取り付けられている請求項１６または１７に記載の医薬ディスペンサー。
【請求項１９】
添付の図面を参照して実質的に本明細書に記載されている医薬ディスペンサー。
【請求項２０】
請求項１ないし１９のいずれかに記載の医薬ディスペンサーとともに用いられる容器本体。
【請求項２１】
添付の図面を参照して実質的に本明細書に記載されている容器本体。
【請求項２２】
容器本体、１用量の医薬および前記医薬を混合するための飲料を含む部品のキット。
【発明の詳細な説明】
【技術分野】
【０００１】
本発明は、医薬ディスペンサーに関する。詳細には本発明は、簡便に、しかも所望の場所で使用可能な医薬ディスペンサーに関する。
【背景技術】
【０００２】
今日の多忙かつ重圧のかかる生活様式の結果、１日１回および場合によっては１日複数回での痛み止め薬、消化不良／胸焼け／腹痛の薬、鎮静剤、栄養補助食品、生薬および他の医薬の摂取量が増えている。例えば仕事中または移動中（例：公共輸送機関に乗っている）などの家にいない人にとっての大きな問題が、医薬のアベイラビリティー、あるいは最もあり得るものとしては１用量を摂取する簡便な方法である。非常に多くの場合、１杯の水あるいは水を入れる容器すら手元にない。
【発明の開示】
【発明が解決しようとする課題】
【０００３】
本発明の目的は、医薬／栄養補助食品を摂取するための容器および／または液体を見つけるという問題を解決する医薬ディスペンサーを提供することにある。本発明の別の目的は、使用前は平坦パックの形態で保管することができ、従って人が医薬瓶およびコップを持ち運ぶことに対する簡便かつスペースを考えた選択肢を提供することができるディスペンサーを提供することにある。本発明の別の目的は、使い捨て１用量医薬ディスペンサーおよび／または、摂取される医薬または物質を投与機構に補充することで無限に使用されるディスペンサーを提供することにある。
【課題を解決するための手段】
【０００４】
従って、１態様において本発明は、容器本体の内容物にアクセスするための開口を有している容器本体を有してなる医薬ディスペンサーであって、該本体の外側には医薬および／または栄養補助食品が入ったブリスターパックと連通させるための少なくとも一つの加圧箇所があり、該加圧箇所に圧力を加えることで該ブリスターが破れ、その結果該医薬および／または栄養補助食品が該容器本体の内側に放出されるようになっている医薬ディスペンサーを提供する。
【０００５】
１実施形態において前記加圧箇所は、ブリスターの一部を形成していることができ、かけられる圧力がブリスターを破壊するように作用する。別の実施形態においてブリスターは、剥離圧力をかけることでアクセス可能となるような剥離可能シール材を有している。他の公知のブリスターパックのタイプを含んでいる他の変形形態も想到される。
【０００６】
１実施形態において前記ディスペンサーは、容器本体に組み立てられる平坦なパックの形態であることができる。
【０００７】
従って、消費者がディスペンサーを持っているか、またはそのようなディスペンサーを購入し、それを容器本体に組み込み、医薬または栄養補助食品の摂取をやりやすくする液体を充填し、容器本体にあるブリスターパックの内容物を放出させ、その得られる混合物を摂取することが想到される。
【０００８】
好ましくは容器本体には、飲料が充填される。
【０００９】
例えばその飲料は、水、ミネラルウォーター、フルーツジュース、ソフトドリンクまたは炭酸水から選択することができる。炭酸水は、ひょっとするとカフェインまたはタウリンなどの刺激性物質、あるいはビタミンＣなどの水溶性ビタミンを含む高エネルギー炭酸水であることができる。
【００１０】
この実施形態では消費者は、いかなる時刻およびいかなる場所でも、例えば公共交通機関、エレベーター内またはビジネス会議中であっても、医薬／栄養補助食品を迅速かつ簡便にとることができるようになると思われる。
【００１１】
代表的には、容器本体はさらに着脱式蓋を有する。
【００１２】
好ましくは、該着脱式蓋には少なくとも一つの加圧箇所がある。
【００１３】
ブリスターは、１個のブリスター内に独立の単一用量の医薬および／または栄養補助食品を含むことができる。
【００１４】
好適にはブリスターは、複数のブリスターを有するブリスターパックの一部を形成することで、ディスペンサーが独立した複数用量の医薬および／または栄養補助食品を有することができる、すなわち各ブリスターに１用量が配分されている。
【００１５】
代表的には、ブリスターパック中の各ブリスターは、１用量の医薬ならびに、１以上のビタミン類および／またはカフェインおよび／またはタウリンなどの栄養補助食品を含むことができる。
【００１６】
医薬および／または栄養補助食品は、錠剤、カプセル、粉末または液体の形態とすることができる。好ましくは医薬および／または栄養補助食品は、錠剤の形態である。
【００１７】
別の実施形態において容器本体は首部材を有しており、その首部材には着脱式蓋がその上部周囲にはめ込まれるようになっている。
【００１８】
代表的にはブリスターは、容器本体の首部に取り付けるのに好適な接着剤裏材を有することができる。
【００１９】
１実施形態において前記着脱式蓋は、首部材および容器本体を中心に回転可能である。
【００２０】
別の形態として前記蓋は、その蓋、首部および容器本体の中心となる軸を中心として回転可能な円環体からなることができ、その上には少なくとも一つの加圧箇所があり、その少なくとも一つの加圧箇所がその蓋、首部および容器本体に対して回転可能となっている。
【００２１】
これらの実施形態では消費者は、蓋および／または円環体を容器本体に対して回転させて、加圧箇所と次の充填されたブリスターとの位置合わせを行うことができると考えられる。
【００２２】
好ましくはブリスターはディスペンサー上にあり、ディスペンサーと一体化されているかまたはディスペンサーに付加された形体となっている。
【００２３】
着脱式蓋は、クリップ留めおよび／またはスナップ留めおよび／またはネジ山とネジ穴（ネジ留め）および／またはバヨネット配置によって容器本体に固定可能である。
【００２４】
代表的には、容器本体の内容物へのアクセス用の開口が着脱式蓋上の自然な位置(in situ)にある。
【００２５】
好ましくはアクセス用開口は、カバー部材とともに着脱式で密封可能である。
【００２６】
カバー部材は、クリップ留めおよび／またはスナップ留めおよび／またはネジ山とネジ穴（ネジ留め）および／またはバヨネット配置によって蓋に固定可能である。
【００２７】
好ましい実施形態では前記カバーは、可撓性連結材によって蓋に取り付けられている。
【００２８】
別の態様において本発明は、上記で記載の医薬ディスペンサーとともに用いられる容器本体である。
【００２９】
さらに別の態様において本発明は、容器本体、１用量の医薬および前記医薬を混合するための飲料を含む部品キットである。
【発明を実施するための最良の形態】
【００３０】
以下、添付の図面を参照しながら、本発明を説明する。
【００３１】
図面について説明すると、平坦パック型のディスペンサー２が図１に示してある。この平坦パックを単に圧迫することで（矢印の方向）、箱材を飲料容器の形体に展開することができる。加圧箇所４は容器外側の側面にある。加圧箇所を親指または指で押すことで、加圧箇所の反対側にあるブリスターパック（不図示）内に入っている医薬の錠剤を容器内部に押し入れる。容器本体に水または他の好きな液体を充填することで、医薬を迅速かつ容易に摂取することができる。
【００３２】
図２に示した医薬ディスペンサー６は、使い捨てユニットである。容器本体８には、すでにミネラルウォーターなどの飲料が充填されている。ユニット外側にある加圧箇所12は、１用量の医薬16を収納した１個のブリスターパック14につながっている。留意すべき点として、ブリスターパック14のハウジングは、容器本体８の通常の液体満杯位置より若干上の位置に配置されていることで、摂取前の液浸時間が最小限となるようになっている。加圧箇所に圧力を加えて飲料中に医薬を放出することで、摂取用の単一用量がつくられる。このユニットは、風邪、インフルエンザ、花粉症などの病気を患っている可能性のある人に特に有用であり、多忙な生活を送る人にとっての即時治療手段と見ることができる。
【００３３】
図３には、再充填可能、再利用可能な医薬ディスペンサー20を示してある。各ブリスターに１用量が入っている、複数の個別用量が入った、接着剤が裏に施されたブリスターパック22をディスペンサーに取り付け、それに好みの液体を充填することで、例えば痛み止め薬の定期的な投与が必要な場合に、ユニットをその日をとおして使用することができる。この実施形態では、容器本体24は互換的であることから、消費者に適合させるのにはいろいろな用量および形態をとることができる。
【００３４】
ディスペンサー20は、好みの医薬が入ったブリスター22の帯片取り付け用の首部26を有する容器本体24を有している。首部の周囲および頂部には蓋28がはめ込まれており、その蓋は容器本体上にしっかりとクリップ留めされる。
【００３５】
互いに正反対の位置にある蓋の外表面に、２つの加圧箇所30がある。蓋が容器本体上の所定位置にあるときにこれらの箇所に圧力を加えると、２個の医薬ブリスターが破れて容器本体内側に入る。
【００３６】
次に、保護カバー32を蓋の頂部から外し、医薬と液体をユーザーが摂取することができる。
【００３７】
図4aおよび4bにはそれぞれ、図１に示したものと同様の種類の医薬ディスペンサー２の展開（すなわち、分解）正面図および背面図が示してある。折り返しをし且つ、個々の接合部分3a、3bおよび3cで接着剤接合することで組立を行うと、平坦パック型飲料容器が形成されることは明らかであろう。ディスペンサーパックの正面側には加圧箇所４をはっきりと見ることができ、同様に加圧箇所４の反対側にはブリスターパック５を見ることができる。ブリスターパックへのアクセスは、ユーザーが加圧箇所４に圧力を加えることによってなされ、中にある医薬（例えば錠剤の形態）が容器本体の中に押し込まれる。
【００３８】
投薬する上で適切な医薬は、例えばコデイン、ジヒドロモルヒネ、エルゴタミン、フェンタニルまたはモルヒネなどの鎮痛薬；ジルチアゼムなどの狭心症薬；クロモグリク酸化合物（例：ナトリウム塩として）、ケトチフェンまたはネドクロミル（例：ナトリウム塩として）などの抗アレルギー薬；セファロスポリン類、ペニシリン類、ストレプトマイシン類、スルホンアミド類、テトラサイクリン類およびペンタミジンなどの抗感染薬；メタピリレンなどの抗ヒスタミン薬；ベクロメタゾン（例：ジプロピオン酸エステルとして）、フルチカゾン（例：プロピオン酸エステルとして）、フルニソリド、ブデソニド、ロフレポニド、モメタゾン（例：フロン酸エステルとして）、シクレソニド、トリアムシノロン（例：アセトニドとして）または６α，９α−ジフルオロ−１１β−ヒドロキシ−１６α−メチル−３−オキソ−１７α−プロピオニルオキシ−アンドロスタ−１，４−ジエン−１７β−カルボチオ酸Ｓ−（２−オキソテトラヒドロ−フラン−３−イル）エステルなどの抗炎症薬；ノスカピンなどの鎮咳薬；アルブテロール（例：遊離塩基または硫酸塩として）、サルメテロール（例：キシナホエートとして）、エフェドリン、アドレナリン、フェノテロール（例：臭化水素酸塩として）、ホルモテロール（例：フマル酸塩として）、イソプレナリン、メタプロテレノール、フェニレフリン、フェニルプロパノールアミン、ピルブテロール（例：酢酸塩として）、レプロテロール（例：塩酸塩として）、リミテロール、テルブタリン（例：硫酸塩として）、イソエタリン、ツロブテロールまたは４−ヒドロキシ−７−［２−［［２−［［３−（２−フェニルエトキシ）プロピル］スルホニル］エチル］アミノ］エチル−２（３Ｈ）−ベンゾチアゾロンなどの気管支拡張薬；２Ｒ，３Ｒ，４Ｓ，５Ｒ］−２−［６−アミノ−２−（１Ｓ−ヒドロキシメチル−２−フェニル−エチルアミノ）−プリン−９−イル］−５−（２−エチル−２Ｈ−テトラゾール−５−イル）−テトラヒドロ−フラン−３，４−ジオール（例：マレイン酸塩として）などのアデノシン２ａ作働薬；（２Ｓ）−３−［４−（｛［４−（アミノカルボニル）−１−ピペリジニル］カルボニル｝オキシ）フェニル］−２−［（（２Ｓ）−４−メチル−２−｛［２−（２−メチルフェノキシ）アセチル］アミノ｝ペンタノイル）アミノ］プロパン酸（例：遊離酸またはカリウム塩として）などのα４インテグリン阻害薬；アミロリドなどの利尿薬；イプラトロピウム（例：臭化物として）、チオトロピウム、アトロピンまたはオキシトロピウムなどの抗コリン作働薬；コルチゾン、ハイドロコルチゾンまたはプレドニゾロンなどのホルモン類；アミノフィリン、コリン テオフィリネート、リジン テオフィリネートまたはテオフィリンなどのキサンチン類；インシュリンまたはグルカゴンなどの治療タンパク質およびペプチド；ワクチン、診断薬ならびに遺伝子治療薬から選択することができる。当業者には、適宜に医薬を、塩の形で（例：アルカリ金属塩またはアミン塩あるいは酸付加塩として）、またはエステルとして（例：低級アルキルエステル）、または溶媒和物として（例：水和物）用いて、その医薬の活性および／または安定性を至適化することができ��ことは明らかであろう。
【００３９】
ディスペンサーのいかなる部分も、医薬が付着する傾向を低下させるフルオロポリマー材料などの材料でコーティング可能であることは明らかであろう。
【００４０】
本開示内容は説明のみを目的としたものであり、本発明はそれに対する改変体、変形体および改良体にも及ぶことは明らかであろう。
【００４１】
上記説明および特許請求の範囲が一部を形成する本願は、それ以降の出願に関する優先権の基礎として用いることができる。そのような以降の出願の特許請求の範囲は、本明細書に記載の特徴または特徴の組み合わせに関するものであることができる。それは、製造物、方法または用途の特許請求の範囲の形態を取ることができ、限定するものではないが例を挙げると、添付の特許請求の範囲の請求項の１以上を含むことができる。
【図面の簡単な説明】
【００４２】
【図１】本発明の１態様による平坦パック型医薬ディスペンサーを示す図である。
【図２】本発明の別の態様による使い捨て水充填型医薬ディスペンサーを示す図である。
【図３】本発明のさらに別の態様による再充填型医薬ディスペンサーを示す図である。
【図４】図１の平坦パック型医薬ディスペンサーの１変形体を示す図である。
【図１】
2004528107.tif 000003
【図２】
2004528107.tif 000004
【図３】
2004528107.tif 000005
【図４】
2004528107.tif 000006
【国際公開パンフレット】
2004528107.tif 000007
2004528107.tif 000008
2004528107.tif 000009
2004528107.tif 000010
2004528107.tif 000011
2004528107.tif 000012
2004528107.tif 000013
2004528107.tif 000014
2004528107.tif 000015
2004528107.tif 000016
2004528107.tif 000017
2004528107.tif 000018
2004528107.tif 000019
2004528107.tif 000020
2004528107.tif 000021
【国際調査報告】
2004528107.tif 000022
2004528107.tif 000023
2004528107.tif 000024
2004528107.tif 000025
2004528107.tif 000026